(57)【要約】【課題】下地パネルと外装パネルの目地ピッチの位相が異なっても、同じであっても、上記両パネルを作業性よく施工して二重壁とする施工構造を提供する。【解決手段】平行に配置される下地パネルと外装パネルを支持する二重壁の施工構造であって、該施工構造は、上記下地パネルと外装パネルとの間に胴縁４と目地差込み部材１を介装するともに、該目地差込み部材１は、下地パネルの目地に挿着される脚部１１と外装パネルを平行に受ける保持部１２とを有することを特徴とする。【選択図】図２
2005155119.tif 000002
【特許請求の範囲】
【請求項１】
平行に配置される下地パネルと外装パネルを支持する二重壁の施工構造であって、該施工構造は、上記下地パネルと外装パネルとの間に胴縁と目地差込み部材を介装するとともに、該目地差込み部材は、下地パネルの目地に挿着される脚部と外装パネルを平行に受ける保持部とを有することを特徴とする二重壁の施工構造。
【請求項２】
上記下地パネルと外装パネルの目地ピッチが異なる場合、胴縁を介装するとともに、上記両目地が重なったときのみ、目地差込み部材の脚部を下地パネルの目地に挿着し、保持部で外装パネルの目地を受ける請求項１に記載の二重壁の施工構造。
【請求項３】
上記下地パネルと外装パネルの目地ピッチが同じ場合、上記両目地が重なるように配置し、下地パネルの幅方向略中央部に胴縁を介装するとともに、上記両目地のうち、下地パネルの目地に目地差込み部材の脚部を挿着し、保持部で外装パネルの目地を受ける請求項１に記載の二重壁の施工構造。
【請求項４】
上記目地差込み部材を鋼板製とするとともに、上記脚部が固定手段により下地パネルの目地に固定される請求項１に記載の二重壁の施工構造。
【請求項５】
上記目地差込み部材を合成樹脂製とするとともに、上記脚部が刺突部を備える請求項１に記載の二重壁の施工構造。
【発明の詳細な説明】
【技術分野】
【０００１】
本発明は、二重壁の施工構造に関する。さらに詳しくは、駆体に固定された下地パネルと、この下地パネルに取付けられる外装パネルとからなる二重壁の施工構造に関する。
【背景技術】
【０００２】
従来から、コンクリートを駆体とした建物の外装は、通常、ＡＬＣ板、ＰＣ板、石膏ボード等の下地材を上記コンクリート駆体に張り付け、これに金属サイディングや窯業系サイディング等の外装材を取付けて二重壁構造とすることにより行なわれている。この二重壁の構造としては、上記下地材に胴縁を固定し、この胴縁に外装材を取付けて施工することが一般的に行なわれている。例えば、下地パネルとしてＡＬＣパネルを用い、これを縦張りした上に金属サイディング等、外装パネルを胴縁を介して取付けて二重壁構造としている。このとき、ＡＬＣパネルの継目が目地となるため、このＡＬＣパネルの幅が下地パネルの目地のピッチとなる。一方、外装パネルの目地は、金属サイディングの幅が目地のピッチとなる。
【特許文献１】特開平８−２６０６６４号公報（第１−３頁、第２図、第３図、第４図）
【特許文献２】特開平１１−２４１４３１号公報（第１−４頁、第２図）
【発明の開示】
【発明が解決しようとする課題】
【０００３】
ところで、上記金属サイディングの幅がＡＬＣパネルの幅と異なるとき、目地ピッチの位相が一致して目地どうしが重なる場合がある。このとき、ＡＬＣパネルのＶ字型の目地と該目地上に配置された胴縁との接触面積が減少して取付けが不安定となるため、金属サイディングを所定強度で保持し難いという問題がある。また、下地パネルと外装パネルの幅が同じで、比較的その幅が広い場合は、外装パネルが撓んだり、腰折れすることを防ぐため多数の胴縁が必要になるという問題がある。本発明はこのような問題を解決して、下地パネルと外装パネルの目地ピッチの位相が異なっても、あるいは同じであっても、胴縁を介して下地パネルに外装パネルをしっかりと取付けることのできる二重壁の施工構造を提供することを、その課題とする。
【課題を解決するための手段】
【０００４】
本発明は、上記課題を解決するために考え出されたものであって、つぎのような技術的手段を講じている。すなわち、本発明によれば、平行に配置される下地パネルと外装パネルを支持する二重壁の施工構造であって、該施工構造は、上記下地パネルと外装パネルとの間に胴縁と目地差込み部材を介装するとともに、該目地差込み部材は、下地パネルの目地に挿着される脚部と外装パネルを平行に受ける保持部とを有することを特徴とする二重壁の施工構造が提供される。
【０００５】
上記下地パネルと外装パネルの目地ピッチが異なる場合、胴縁を介装するとともに、上記両目地が重なったときのみ、目地差込み部材の脚部を下地パネルの目地に挿着し、保持部で外装パネルの目地を受けることが好ましい。
【０００６】
上記下地パネルと外装パネルの目地ピッチが同じ場合、上記両目地が重なるように配置し、下地パネルの幅方向略中央部に胴縁を介装するとともに、上記両目地のうち、下地パネルの目地に目地差込み部材の脚部を挿着し、保持部で外装パネルの目地を受けることが好ましい。
【０００７】
上記目地差込み部材は鋼板製であるとともに、上記脚部が、釘、ビス等の固定手段により下地パネルの目地に固定されることが好ましい。また、上記目地差込み部材を合成樹脂製とするとともに、上記脚部に刺突部を備えることが好ましい。
【発明の効果】
【０００８】
請求項１に記載の発明は上記のとおりであり、とくに、該目地差込み部材が下地パネルの目地に挿着される脚部と外装パネルを平行に受ける保持部とを有しているため、下地パネルと外装パネルとの間に介装され、外装パネルを保持する胴縁の負荷を軽減させて施工品質を向上させ、しっかりとした二重壁構造とすることができる。
【０００９】
上記下地パネルと外装パネルの目地ピッチが異なる場合、胴縁を介装するとともに、上記両目地が重なったときのみ、目地差込み部材の脚部を下地パネルの目地に挿着し、保持部で外装パネルの目地を受けるため、上記目地差込み部材が胴縁の役目を果たして両者が均等に配置され、施工品質を向上させることができる。
【００１０】
上記下地パネルと外装パネルの目地ピッチが同じ場合、上記両目地が重なるように配置し、下地パネルの幅方向略中央部（幅芯）に胴縁を介装するとともに、上記両目地のうち、下地パネルの目地に目地差込み部材の脚部を挿着し、保持部で外装パネルの目地を受けるため、下地パネルの幅芯に介装された胴縁が、外装パネルの撓みや、腰折れを防ぎ、施工用の胴縁の数を減らせるとともに、作業性の向上を図ることができる。
【００１１】
目地差込み部材を鋼板製とするとともに、上記脚部が固定手段により下地パネルの目地に固定されるため、しっかりとした二重壁構造とすることができる。また、上記目地差込み部材を合成樹脂製とするとともに、上記脚部が刺突部を備えるため、この刺突部が下地パネルの目地に挿着して、目地差込み部材を固定し、しっかりとした二重壁構造とすることができる。
【発明を実施するための最良の形態】
【００１２】
以下、本発明の実施形態について図面を参照して詳細に説明する。本発明にかかる二重壁の施工構造の第一の実施形態においては、下地パネルとして幅６００ｍｍのＡＬＣパネルを用い、外装パネルとして幅４５５ｍｍの金属サイディングを縦張りして用いる。図１は、第一実施形態において、目地差込み部材１をＡＬＣパネル５に装着した状態を示す斜視図である。図１からよくわかるように、目地差込み部材１は、ＡＬＣパネル５の目地５１に挿着される脚部１１と後記金属サイディング６を平行に受ける保持部１２とから構成され、脚部１１を貫通して釘Ｂを目地５１に打ち込むことによって、目地差込み部材１はしっかりとＡＬＣパネル５に装着される。
【００１３】
上記したように、ＡＬＣパネル５と金属サイディング６の幅が異なっているため、図２の平断面図から明らかなように、両者の目地ピッチも異なるが、両者の目地ピッチの位相が合ったときは、ＡＬＣパネル５の目地５１と金属サイディング６の目地６１とが重なる。このとき、過って胴縁４を目地５１と目地６１の間に介装すると（図示せず）、該同縁とＶ字型の目地５１との接触面積が小さくなるため、胴縁４のＡＬＣパネル５への取付けが不安定となる。そこで、胴縁４に替えて、図１に示す目地差し込み部材１を目地５１へ挿着する。一方、目地５１と目地６１とが重ならない部分では、常法により胴縁４をＡＬＣパネル５と金属サイディング６との間に等間隔で介装する。図２は、このようにして施工されたＡＬＣパネル５と金属サイディング６とからなる二重壁の施工構造を示す平断面図である。
【００１４】
図２から、上記目地５１と目地６１とが重なったときは、目地差し込み部材１の脚部１１が目地５１に釘Ｂでしっかりと固定され、保持部１２が金属サイディング６を受けるとともに、この金属サイディング６は胴縁４にも固定される。なお、胴縁４のＡＬＣパネル５への取付けや、金属サイディング６との固定等は公知の方法、例えば、釘留め、ビス留め、接着等の中より適宜選択して行なえばよい。また、図１、図２において、目地差込み部材１の保持部１２は外方に展開されているが、これに限定されず、図３に示すように内方に折り曲げた形態とすることも可能である。
【００１５】
つぎに、本発明にかかる二重壁の施工構造の第二の実施形態について説明する。第二実施形態おいては、下地パネルとして幅６００ｍｍのＡＬＣパネルを用い、外装パネルとして幅６００ｍｍの窯業系サイディングを用いる。この場合、両者の幅が比較的大きいため、第二実施形態においては、図４の平断面図に示すように、ＡＬＣパネル５の幅芯に胴縁４を介装するとともに、ＡＬＣパネル５の目地５１に目地差込み部材２を挿着し、窯業系サイディング７の目地７１を受ける。このようにすることによって、胴縁４と目地差込み部材２とが３００ｍｍピッチで交互に配置され、負荷を分散させて施工品質を向上させることができる。
【００１６】
図５は、図４に示した目地差込み部材２を拡大して表す斜視図である。図５において、目地差込み部材２は、刺突部２１１を備えた脚部２１と保持部２２と両者を結合するリブ部２３とから構成され、合成樹脂から一体的に形成されている。上記刺突部２１１はＡＬＣパネル５の目地５１に挿着され、目地差込み部材２をしっかりとＡＬＣパネル５に固定するとともに、脚部２１は目地５１をカバーする。一方、目地差込み部材２の保持部２２は窯業系サイディング７の目地７１を保持し、かくして、窯業系サイディング７は胴縁４に取付けられ、作業性よく二重壁を施工することができる。なお、図４、図５において、目地差込み部材２の脚部２１と保持部２２とはリブ部２３によって結合されているが、これらを一体的に構成して保持部とし、図６に示すように、刺突部３１１と保持部３２とからなる目地差込み部材３としてもよい。
【図面の簡単な説明】
【００１７】
【図１】本発明の第一実施形態において、目地差込み部材をＡＬＣパネルに装着した状態を示す斜視図である。
【図２】上記第一実施形態における二重壁の施工構造を示す平断面図である。
【図３】上記第一実施形態において用いる目地差込み部材の他の形態を示す斜視図である。
【図４】本発明の第二実施形態における二重壁の施工構造を示す平断面図である。
【図５】上記第二実施形態において用いる目地差込み部材を示す斜視図である。
【図６】上記第二実施形態において用いる目地差込み部材の他の形態を示す斜視図である。
【符号の説明】
【００１８】
１          第一実施形態において用いる目地差込み部材
１１        上記脚部
１２        上記保持部
２          第二実施形態において用いる目地差込み部材
２１        上記脚部
２１１      上記刺突部
２２        上記保持部
２３        上記リブ部
３          第二実施形態において用いる目地差込み部材
３１１      上記刺突部
３２        上記保持部
４          胴縁
５          ＡＬＣパネル
５１        上記目地
６          金属サイディング
６１        上記目地
７          窯業系サイディング
７１        上記目地
Ｂ          釘
【図１】
2005155119.tif 000003
【図２】
2005155119.tif 000004
【図３】
2005155119.tif 000005
【図４】
2005155119.tif 000006
【図５】
2005155119.tif 000007
【図６】
2005155119.tif 000008